(57)【要約】【課題】複数の交流回路の各電力量を単位時間毎に切り替えて測定した値を、連続計測した場合の電力量に変換すると、測定結果に誤差が発生する。測定する交流回路数が増加するに従い、その測定精度は、さらに悪化する。【解決手段】多回路電力測定装置（２）は、検出電流選択信号（２０６ｓ）を出力する制御部（２０６）と、検出電流選択信号に応答して、各変流器が出力する検出電流群（２０１ｂ−２０１ｆ）から１つの検出電流を選択し、選択検出電流（２０２ａ）として出力する測定対象選択部（２０２）と、複数の交流回路に供給される電圧を計測して出力する電圧計測部（２０４）と、選択検出電流に基づき、選択検出電流と対応する交流回路の電流値を計測して出力する第１電流計測部（２０３ｂ）と、第１電流計測部および電圧計測部の各出力に基づき、選択交流回路の電力値を計測して出力する第１電力計測部（２０５ｂ）と、を備える。【選択図】図２
2014142271.tif 000002
【特許請求の範囲】
【請求項１】
動作モード設定信号に応答して、検出電流選択信号を出力する制御部と、
前記検出電流選択信号に応答して、複数の交流回路と対応する各変流器が出力する検出電流群から１つの検出電流を選択し、選択検出電流として出力する測定対象選択部と、
前記複数の交流回路に供給される電圧を計測して出力する電圧計測部と、
前記選択検出電流に基づき、前記複数の交流回路のうち、前記選択検出電流と対応する選択交流回路の電流値を計測して出力する第１電流計測部と、
前記第１電流計測部および前記電圧計測部の各出力に基づき、前記選択交流回路の電力値を計測して出力する第１電力計測部と、
を備える、多回路電力測定装置。
【請求項２】
前記測定対象選択部は、さらに、前記検出電流群のうち、前記選択検出電流以外の検出電流を、順次、第１選択時間毎に切り替えて、非選択検出電流として出力し、
前記非選択検出電流に基づき、前記複数の交流回路のうち、前記選択交流回路以外の非選択交流回路の電流値を計測して出力する第２電流計測部と、
前記第２電流計測部および前記電圧計測部の各出力に基づき、前記非選択交流回路の電力値を計測して出力する第２電力計測部と、
を備える、請求項１記載の多回路電力測定装置。
【請求項３】
前記制御部は、前記第１電力計測部および前記第２電力計測部の各出力の比較結果に基づき，前記複数の交流回路のうち、最大の電力値を有する交流回路を測定対象とする前記検出電流選択信号を出力し、
前記測定対象選択部は、前記検出電流選択信号に応答して、前記検出電流群のうち、最大の電力値を有する交流回路と対応する検出電流を前記選択検出電流として出力する、請求項２記載の多回路電力測定装置。
【請求項４】
前記第２電力計測部が出力する電力値を格納する記憶部を、さらに備え、
前記制御部は、前記第１電力計測部の出力と、前記記憶部に格納されている前記電力値の平均値と、の比較結果に基づき、前記検出電流選択信号を出力する、請求項３記載の多回路電力測定装置。
【請求項５】
前記制御部は、前記第１選択時間を複数含む第２選択時間毎に、前記検出電流選択信号を出力する、請求項４記載の多回路電力測定装置。
【請求項６】
前記動作モード設定信号に応答して、前記選択交流回路を指定するユーザー選択モードに設定される、請求項１記載の多回路電力測定装置。
【請求項７】
前記動作モード設定信号に応答して、前記非選択交流回路の電力値を測定する自動選択モードに設定される、請求項２ないし請求項５いずれか１項記載の多回路電力測定装置。
【発明の詳細な説明】
【技術分野】
【０００１】
本発明は多回路電力測定装置に関し、特に、複数の交流回路の消費電力を測定する多回路電力測定装置に関する。
【背景技術】
【０００２】
従来、複数の回路の電力量を計測するには、各回路毎に、電圧電流検出手段および電力量計測手段を有する電力計測装置を設けていた。その結果、各回路と同数の電力計測装置を設置するための広いスペースと、コストが必要となる。
【０００３】
特許文献１は、複数の電流検出手段、複数の電圧検出手段、入力回路切替手段、電力量計測手段、および回路毎電力量演算手段を備える多回路形電力量計を開示する。複数の電流検出手段および電圧検出手段の出力は、入力回路切替手段を介して、順次、電力量計測手段に出力される。電力量計測手段は、各被計測回路の単位時間における電力量を周期的に計測する。回路毎電力量演算手段は、電力量計測手段が出力する単位時間における電力量を連続計測した場合の電力量に変換する。
【先行技術文献】
【特許文献】
【０００４】
【特許文献１】特開平１０−２６６４１号公報
【発明の概要】
【発明が解決しようとする課題】
【０００５】
特許文献１が開示する多回路形電力量計において、各被計測回路の電力量は、各被計測回路の単位時間（交流の特定整数周期）における電力量を、連続計測した場合の電力量に変換することで求められる。その結果、変換して求められた電力量は、被計測回路の実際の消費電力量に対して、誤差を有する。電力量を計測する被計測回路の数が増加すると、被計測回路の電力量を求める単位時間は、その数に反比例して短く設定される。その結果、変換して求められた電力量の精度は、さらに悪化する。
【課題を解決するための手段】
【０００６】
本発明は、動作モード設定信号に応答して、検出電流選択信号を出力する制御部と、前記検出電流選択信号に応答して、複数の交流回路と対応する各変流器が出力する検出電流群から１つの検出電流を選択し、選択検出電流として出力する測定対象選択部と、前記複数の交流回路に供給される電圧を計測して出力する電圧計測部と、前記選択検出電流に基づき、前記複数の交流回路のうち、前記選択検出電流と対応する選択交流回路の電流値を計測して出力する第１電流計測部と、前記第１電流計測部および前記電圧計測部の各出力に基づき、前記選択交流回路の電力値を計測して出力する第１電力計測部と、を備える、多回路電力測定装置である。
【０００７】
本発明の多回路電力測定装置において、前記測定対象選択部は、さらに、前記検出電流群のうち、前記選択検出電流以外の検出電流を、順次、第１選択時間毎に切り替えて、非選択検出電流として出力し、前記非選択検出電流に基づき、前記複数の交流回路のうち、前記選択交流回路以外の非選択交流回路の電流値を計測して出力する第２電流計測部と、前記第２電流計測部および前記電圧計測部の各出力に基づき、前記非選択交流回路の電力値を計測して出力する第２電力計測部と、を備える。
【０００８】
本発明の多回路電力測定装置において、前記制御部は、前記第１電力計測部および前記第２電力計測部の各出力の比較結果に基づき，前記複数の交流回路のうち、最大の電力値を有する交流回路を測定対象とする前記検出電流選択信号を出力し、前記測定対象選択部は、前記検出電流選択信号に応答して、前記検出電流群のうち、最大の電力値を有する交流回路と対応する検出電流を前記選択検出電流として出力する。
【０００９】
本発明の多回路電力測定装置において、前記第２電力計測部が出力する電力値を格納する記憶部を、さらに備え、前記制御部は、前記第１電力計測部の出力と、前記記憶部に格納されている前記電力値の平均値と、の比較結果に基づき、前記検出電流選択信号を出力する。
【００１０】
本発明の多回路電力測定装置において、前記制御部は、前記第１選択時間を複数含む第２選択時間毎に、前記検出電流選択信号を出力する。
【発明の効果】
【００１１】
本発明によれば、複数の交流回路の消費電力を精度よく計測可能な多回路電力測定装置が実現される。
【図面の簡単な説明】
【００１２】
【図１】実施の形態に係る多回路電力測定装置を備えた多回路電力計測システムの構成図である。
【図２】実施の形態に係る多回路電力測定装置を備えた多回路電力計測システムの具体的構成図である。
【図３】実施の形態に係るコントローラーの構成図である。
【図４】実施の形態に係るコントローラーが有する表示部の各種表示モードにおける表示例を示す図面である。
【図５】ユーザー選択モードに設定された多回路電力測定装置の処理手順を示すフローチャートである。
【図６】自動選択モードに設定された多回路電力測定装置の処理手順を示すフローチャートである。
【図７】自動選択モードに設定された多回路電力測定装置による交流回路の電力計測タイミングを説明する図である。
【発明を実施するための形態】
【００１３】
以下、図面を参照しつつ、本発明の実施の形態について説明する。実施の形態の説明において、個数、量などに言及する場合、特に記載ある場合を除き、本発明の範囲は必ずしもその個数、量などに限定されない。実施の形態の図面において、同一の参照符号や参照番号は、同一部分または相当部分を表わすものとする。また、実施の形態の説明において、同一の参照符号等を付した部分等に対しては、重複する説明は繰り返さない場合がある。
【００１４】
＜多回路電力計測システムの構成＞
図１を参照して、実施の形態に係る多回路電力測定装置２を備えた多回路電力計測システムの構成を説明する。
【００１５】
多回路電力計測システムは、分電盤１、多回路電力測定装置２、およびコントローラー３を備える。分電盤１は、複数の交流回路へ交流電力を供給する複数の配線路（図示せず。）を有する。多回路電力測定装置２は、各交流回路の消費電力（以下、電力値とも記載。）を測定し、その測定結果をコントローラー３へ出力する。コントローラー３は、多回路電力測定装置２が測定した交流回路の消費電力を表示する機能と、多回路電力測定装置２の制御機能と、を有する。
【００１６】
図２を参照して、実施の形態に係る多回路電力測定装置２を備えた多回路電力計測システムの具体的構成を説明する。
【００１７】
分電盤１は、主幹配線１１ａと、主幹配線１１ａから分岐した配線路１１ｂ、配線路１１ｃ、配線路１１ｄ、配線路１１ｅ、および配線路１１ｆ（以下、配線路１１ｂ−１１ｆ、と記載する。他の構成要素の場合も同様。）と、変流器（カレントトランス）２０１ａ−２０１ｆと、を有する。配線路１１ｂ−１１ｆは、各々、図示しない交流回路（エアコン、冷蔵庫、および照明機器等）に、交流電力を供給する。配線路１１ｂ−１１ｆと接続される各交流回路は、同一系統の交流回路に属する。
【００１８】
変流器２０１ａ−２０１ｆは、各々、主幹配線１１ａ、および配線路１１ｂ−１１ｆに流れる電流を検出し、それらの測定結果を検出電流２０１ａ１−２０１ｆ１として出力する。同一系統の交流回路に印加される電圧は、電圧測定値１１ａ１として出力される。
【００１９】
多回路電力測定装置２は、分電盤１が出力する電圧測定値１１ａ１、および検出電流２０１ａ１−２０１ｆ１に基づき、選択された交流回路の電力値を計測する。計測された電力値は、通信部２０８を介して、コントローラー３へ送信される。
【００２０】
多回路電力測定装置２は、自動選択モードおよびユーザー選択モードを備える。自動選択モードに設定された多回路電力測定装置２は、同一系統の複数の交流回路のうち、最大の電力値を有する交流回路の情報（機器名）およびその計測値をコントローラー３へ出力する。ユーザー選択モードに設定された多回路電力測定装置２は、コントローラー３が指定する交流回路の電力値を計測し、その計測値をコントローラー３へ出力する。
【００２１】
コントローラー３は、多回路電力測定装置２の動作モードを設定する動作モード設定信号３０１を送信する機能、および多回路電力測定装置２で計測した交流回路の電力値を表示する機能を有する。
【００２２】
＜多回路電力測定装置２の構成および機能＞
実施の形態に係る多回路電力測定装置２は、測定対象選択部２０２、電流計測部２０３ａ−２０３ｃ、電圧計測部２０４、電力計測部２０５ａ−２０５ｃ、制御部２０６、記憶部２０７、および通信部２０８を有する。
【００２３】
測定対象選択部２０２は、交流回路毎に設けられた変流器２０１ｂ−２０１ｆが出力する各交流回路の検出電流２０１ｂ１−２０１ｆ１の１つを選択し、選択検出電流２０２ａとして出力する。測定対象選択部２０２は、さらに、検出電流２０１ｂ−２０１ｆ１のうち、選択検出電流２０２ａとして出力される検出電流以外の検出電流を、順次、所定時間毎に、非選択検出電流２０２ｂとして出力する機能を備える。
【００２４】
電圧計測部２０４は、主幹配線１１ａの交流電圧値（以下、電圧値、と記載。）を計測する。
【００２５】
電流計測部２０３ａは、変流器２０１ａで測定した検出電流に基づき、主幹配線１１ａに流れる交流電流値（以下、電流値、と記載。）に変換する。この電流値は、同一系統に属する交流回路の総消費電流値と等しい。電流計測部２０３ｂは、測定対象選択部２０２が出力する選択検出電流２０２ａに基づき、対応する交流回路の電流値を出力する。電流計測部２０３ｃは、測定対象選択部２０２が出力する非選択検出電流２０２ｂに基づき、対応する各交流回路の電流値を順次出力する。
【００２６】
電力計測部２０５ａは、電流計測部２０３ａおよび電圧計測部２０４の各出力に基づき、同一系統に属する交流回路の総使用電力値を計測し、制御部２０６へ出力する。電力計測部２０５ｂは、電流計測部２０３ｂおよび電圧計測部２０４の各出力に基づき、選択検出電流２０２ａと対応する交流回路の電力値を計測し、制御部２０６へ出力する。電力計測部２０５ｃは、電流計測部２０３ｃおよび電圧計測部２０４の各出力に基づき、非選択検出電流２０２ｂと対応する各交流回路の電力値を計測し、順次、制御部２０６へ出力する。
【００２７】
（ユーザー選択モード）
コントローラー３は、同一系統の複数の交流回路のうち、電力値の計測対象とすべき交流回路の変更要求（以下、測定対象回路変更要求、と記載。）を多回路電力測定装置２へ送信する。多回路電力測定装置２の通信部は、この測定対象回路変更要求を制御部２０６へ伝達する。制御部２０６は、測定対象回路変更要求を受け、多回路電力測定装置２をユーザー選択モードに設定する。即ち、測定対象回路変更要求は、多回路電力測定装置２をユーザー選択モードに設定する動作モード設定信号として機能する。
【００２８】
ユーザー選択モードに設定された多回路電力測定装置２が有する制御部２０６は、測定対象選択部２０２へ検出電流選択信号２０６ｓを出力する。測定対象選択部２０２は、検出電流選択信号２０６ｓに応答して、検出電流２０１ｂ１−２０１ｆ１のうち、測定対象回路変更要求で指定された交流回路に対応する検出電流（例えば、２０１ｂ１）を選択し、選択検出電流２０２ａとして出力する。
【００２９】
電流計測部２０３ｂは、選択検出電流２０２ａ（＝検出電流２０１ｂ１）を電流値に変換する。この電流値は、変流器２０１ｂの測定対象である配線路１１ｂと接続される交流回路の消費電流と等しい。
【００３０】
電力計測部２０５ｂは、電流計測部２０３ｂおよび電圧計測部２０４の各出力に基づき、配線路１１ｂと接続される交流回路の電力値を計測し、制御部２０６へ出力する。制御部２０６は、指定された交流回路の電力値を、通信部２０８を介して、コントローラー３へ送信する。
【００３１】
（自動選択モード）
コントローラー３は、同一系統の複数の交流回路のうち、最大の電力値を有する交流回路を自動選択する要求（以下、自動選択要求、と記載。）を多回路電力測定装置２へ送信する。多回路電力測定装置２の通信部は、この自動選択要求を制御部２０６へ伝達する。制御部２０６は、自動選択要求を受け、多回路電力測定装置２を自動選択モードに設定する。即ち、自動選択要求は、多回路電力測定装置２を自動選択モードに設定する動作モード設定信号として機能する。
【００３２】
自動選択モードに設定された多回路電力測定装置２が有する制御部２０６は、測定対象選択部２０２へ、検出電流選択信号２０６ｓを出力する。測定対象選択部２０２は、検出電流選択信号２０６ｓに応答して、ユーザー選択モードに設定された場合と異なる動作をする。即ち、測定対象選択部２０２は、選択検出電流２０２ａとして出力している検出電流以外の検出電流を、順次、所定時間（以下、回路選択時間、と記載。）毎に切り替え、非選択検出電流２０２ｂとして出力する動作を繰り返す。
【００３３】
電流計測部２０３ｃは、非選択検出電流２０２ｂとして時分割で出力される各検出電流を、電流値に変換する。順次出力される各電流値は、同一系統の複数の交流回路のうち、選択検出電流２０２ａと対応する交流回路以外の各交流回路と対応する。
【００３４】
一例として、検出電流２０１ｂ１が選択検出電流２０２ａとして選択されている場合を想定する。検出電流選択信号２０６ｓに応答して、測定対象選択部２０２は、検出電流２０１ｃ１−２０１ｆ１を順次、回路選択時間（例えば、１秒間）毎に切り替えて、非選択検出電流２０２ｂとして出力する動作を繰り返す。即ち、電流計測部２０３ｃは、１秒間測定した検出電流２０１ｃ１−２０１ｆ１に基づき、対応する交流回路の電流値を計測する。一方、電流計測部２０３ｂは、検出電流２０１ｂ１を継続して測定する。
【００３５】
電力計測部２０５ｂは、電流計測部２０３ｂおよび電圧計測部２０４の各出力に基づき、配線路１１ｂと接続される交流回路の電力値を計測し、制御部２０６へ出力する。電力計測部２０５ｃは、電流計測部２０３ｃおよび電圧計測部２０４の各出力に基づき、配線路１１ｃ−１１ｆと接続される各交流回路の電力値を、順次、回路選択時間にわたり計測する。各計測値は、記憶部に出力される。記憶部２０７は、電力計測部２０５ｃが回路計測時間にわたり計測した各交流回路の電力値を、記憶部２０７の個別に割り当てられた各記憶領域に格納する。
【００３６】
制御部２０６は、所定時間（以下、電力比較時間、と記載する。）毎に、電力計測部２０５ｂが出力する電力値と、記憶部２０７に格納されている各電力値の平均電力値と、を比較する。この比較は、例えば、電力比較期間として設定された１分毎に行われる。ここで、平均電力値は、一例として、電力比較時間内に測定した交流回路の電力値の合計値を、電力比較時間内で測定した回数で除算した電力値とする。
【００３７】
比較の結果、電力計測部２０５ｂが出力する交流回路（配線路１１ｂと接続される交流回路）の電力値よりも大きい平均電力値が存在する場合、制御部２０６は、その平均電力値に対応する交流回路を測定対象とする検出電流選択信号２０６ｓを出力する。
【００３８】
例えば、配線路１１ｂと接続される交流回路に代わって配線路１１ｃと接続される交流回路が最大電力値を有すると判断された場合、測定対象選択部２０２は、配線路１１ｃに対応する検出電流２０１ｃ１を選択検出電流２０２ａとして出力する。さらに、測定対象選択部２０２は、検出電流２０１ｂ１、および２０１ｄ１−２０１ｆ１を、順次、回路選択時間毎に切り替えて、非選択検出電流２０２ｂとして出力する。
【００３９】
電力計測部２０５ｂは、電流計測部２０３ｂおよび電圧計測部２０４の各出力に基づき、新たに測定対象とされた交流回路の電力値を計測し、制御部２０６へ出力する。制御部２０６は、新たに測定対象とされた交流回路の電力値および交流回路の情報（機器名）を、通信部２０８を介して、コントローラー３へ送信する。
【００４０】
電力計測部２０５ｂが出力する電力値と、記憶部２０７に格納されている各電力値の平均電力値と、の比較の結果、最大電力値を有する交流回路に変化が無い場合、測定対象選択部２０２は、選択検出電流２０２ａに出力する検出電流の選択を維持する。電力計測部２０５ｂは、測定対象として維持されている交流回路の電力値を計測し、制御部２０６へ出力する。制御部２０６は、その交流回路の電力値および交流回路の機器名を、通信部２０８を介して、コントローラー３へ出力する。
【００４１】
＜コントローラー３の構成および機能＞
図３を参照して、実施の形態に係るコントローラー３の構成を説明する。
【００４２】
コントローラー３は、表示部３１および操作部３２を備える。表示部３１は、多回路電力測定装置２が計測した同一系統に属する交流回路の総使用電力値と、ユーザー選択モードまたは自動選択モードで選択された交流回路の電力値と、を表示する。操作部３２は、表示部３１の画面を操作する４方向のカーソル移動キー、カーソル移動キーで選択した交流機器等の選択決定ボタン（ＳＥＴ）、および選択決定ボタンによる設定をキャンセルするキャンセルボタン（Ｃａｎｃｅｌ）を有する。図３は、コントローラー３の一例であり、画面および操作ボタンの形状・配置は、適宜変更可能である。
【００４３】
図４を参照して、実施の形態に係るコントローラー３が有する表示部３１の各種表示モードを説明する。
【００４４】
図４（ａ）は、表示部３１を電力情報表示モードに設定した場合の画面の一例を示す。この画面は、図３に示されるコントローラー３の表示部３１と同一であり、重複説明は省略する。
【００４５】
図４（ｂ）は、表示部３１を表示回路選択モードに設定した場合の画面の一例を示す。上述の通り、多回路電力測定装置２は、電力値の測定対象とする交流回路を指定するユーザー設定モード、および最大の電力値を消費する交流回路を自動的に選択する自動選択モードの２つの動作モードを有する。図４（ｂ）は、その２つの動作モードを選択／設定するための画面である。表示部３１の表示モード切替は、表示部３に設定された切替ボタン（図示せず）により行われる。
【００４６】
多回路電力測定装置２を、”ユーザー選択モード”に設定する手順は、次の通りである。即ち、ユーザーが、「表示回路選択」の下に表示される同一系統に属する４つの交流回路である機器名の１つを、操作部３２のカーソル移動キーで選択し、選択決定ボタン（ＳＥＴ）を押すことで、多回路電力測定装置２はユーザー選択モードに設定される。図４（ｂ）は、破線で囲まれた”＊寝室エアコン”が選択されている様子を示す。操作部３２の選択決定ボタン（ＳＥＴ）が押されると、コントローラー３は、”寝室エアコン”を測定対象とする”測定対象回路変更要求”を、多回路電力測定装置２へ送信する。
【００４７】
多回路電力測定装置２を”自動選択モード”に設定する手順は、次の通りである。即ち、ユーザーが、＜自動選択＞と表示されている領域をカーソル移動キーで選択し、選択決定ボタン（ＳＥＴ）を押すことで、多回路電力測定装置２は自動選択モードに設定される。コントローラー３は、同一系統の属する交流回路のうち、最大の電力値を有する交流回路選択することを要求する”自動選択要求”を、多回路電力測定装置２へ送信する。
【００４８】
＜多回路電力測定装置２の処理フロー＞
図５を参照して、ユーザー選択モードに設定された多回路電力測定装置２の処理フローを説明する。
【００４９】
コントローラー３は、ユーザーの操作に応答して、コントローラー３の表示部３１を、表示回路選択モード（図４（ｂ））に切り替える（ステップＳ１０１）。表示回路選択モードに設定されたコントローラー３は、選択可能な交流回路情報（機器名）の取得要求を、多回路電力測定装置２へ送信する（ステップＳ１０２）。
【００５０】
多回路電力測定装置２は、ステップＳ１０２の取得要求に応答して、選択可能な交流回路の一覧を、コントローラー３へ送信する（ステップＳ２０１）。
【００５１】
コントローラー３は、表示回路選択モードに設定されている表示部３１に、選択可能な交流回路の一覧を表示する（ステップＳ１０３）。その後、コントローラー３は、ユーザーによる電力値の表示対象とすべき交流回路の確定操作に応答して（ステップＳ１０４で”Ｙｅｓ”）、多回路電力測定装置２へ測定対象回路変更要求を送信する（ステップＳ１０５）。
【００５２】
多回路電力測定装置２が有する測定対象選択部２０２は、測定対象回路変更要求に応答して、変更要求のあった交流回路と対応する検出電流を選択検出電流２０２ａとして出力する（ステップＳ２０２）。その選択検出電流２０２ａに基づき計測された電力値は、制御部２０６および通信部２０８を介して、コントローラー３へ送信される（図２参照）（ステップＳ２０３）。
【００５３】
ステップＳ１０４で、ユーザーがコントローラー３に表示されている交流回路の選択をキャンセルした場合、コントローラー３は、表示部３１を、電力情報表示モードに切り替える（ステップＳ１０６）。
【００５４】
図６を参照して、自動選択モードに設定された多回路電力測定装置２の処理フローを説明する。
【００５５】
コントローラー３が送信する自動選択要求を受信すると、多回路電力測定装置２は、電力計測部２０５ｂ（図２参照）で測定中の回路情報および計測した電力値を、コントローラー３へ送信する（ステップＳ４０１）。コントローラー３は、受信した回路情報および電力値を、電力情報表示モードに設定された表示部３１に表示する（ステップＳ３０１）。
【００５６】
多回路電力測定装置２は、ステップＳ４０１の処理後、電力計測部２０５ｂによる測定対象として選択されている交流回路の電力値計測を継続しつつ、電力計測部２０５ｃによる他の交流回路の電力値を、順次、回路選択時間毎に計測する。制御部２０６は、電力計測部２０５ｂが計測した電力値と、電力計測部２０５ｃが計測した平均電力値と、を電力比較時間毎に比較し、測定対象として選択されている交流回路よりも電力値が大きい交流回路を検索する（ステップＳ４０２）。
【００５７】
選択されている交流回路よりも電力値が大きい他の交流回路が検出された場合（ステップＳ４０３で”Ｙｅｓ”）、測定対象選択部２０２は、その検出された交流回路を電力計測部２０５ｂによる電力値計測の対象に切り替える（ステップＳ４０４）。選択されている交流回路よりも電力値が大きい他の交流回路が検出されない場合（ステップＳ４０３で”Ｎｏ”）、測定対象選択部２０２は、電力計測部２０５ｂで電力値を計測する交流回路を変更しない。
【００５８】
コントローラー３が自動選択モードの終了を要求しない場合（ステップＳ４０５で”Ｎｏ”の場合）、多回路電力測定装置２は、ステップＳ４０１以降の処理を繰り返す。コントローラー３が自動選択モードの終了を要求した場合（ステップＳ４０５で”Ｙｅｓ”の場合）、多回路電力測定装置２は、自動選択モードの処理を終了する。
【００５９】
図７を参照して、自動選択モードに設定された実施の形態に係る多回路電力測定装置２による交流回路の電力計測タイミングを説明する。
【００６０】
図２に示される通り、自動選択モードに設定された多回路電力測定装置２が有する測定対象選択部２０２は、同一系統に属する交流回路のうち、最大の電力値を有する交流回路の検出電流を選択検出電流２０２ａとして出力する。同時に、測定対象選択部２０２は、その他の交流回路の検出電流を、順次、回路選択時間（例えば、１秒間）毎に切り替えて、非選択検出電流２０２ｂとして出力する（図２参照）。
【００６１】
電力計測部２０５ｂは、最大の電力値を有する交流回路の電力値を制御部２０６へ出力する。一方、電力計測部２０５ｃが出力するその他の交流回路の電力値は、記憶部２０７に個別に割り当てられた記憶領域に格納される。制御部２０６は、電力計測部２０５ｂが出力する電力値と、記憶部２０７に格納されている電力値の平均電力値と、を電力比較時間（例えば、１分間）毎に比較し、検出電流選択信号２０６ｓを出力する。
【００６２】
図７は、自動選択モードに設定された多回路電力測定装置２が有する電力計測部２０５ｂおよび電力計測部２０５ｃによる、交流回路１−５の電力値計測タイミングの例を示す。交流回路１−５は、同一系統に属する交流回路である。図７は、電力計測部２０５ｂが、交流回路１の電力値を計測し、電力計測部２０５ｃが、交流回路２−５の電力値を回路選択時間（１秒間）毎に切り替えて計測する場合のタイミング図である。
【００６３】
電力計測部２０５ｂは、電力比較時間として設定された６０秒間にわたり、交流回路１の電力値を計測する。電力計測部２０５ｃは、最初の１秒間、交流回路２の電力値を計測し、以下、回路選択時間毎に、交流回路５までの各電力値を計測する。交流回路５の電力計測時間が終了すると、電力計測部２０５ｂは、再度、交流回路２−５の電力値を、順次計測する。
【００６４】
電力比較時間にわたる交流回路１および交流回路２−５の電力値の計測が完了すると、制御部２０６は、交流回路１の電力値と、交流回路２−５の各平均電力値とを比較する。比較の結果、交流回路２−５のなかで、交流回路１の電力値を超える電力値を有する交流回路が検出された場合、次の電力比較時間では、検出された交流回路の電力値の計測は、電力計測部２０５ｂにより行われる。交流回路１および他の交流回路の電力値の計測は、電力計測部２０５ｃにより行われる。
【００６５】
＜効果＞
（小型化・低価格化）
実施の形態に係る多回路電力測定装置２が備える測定対象選択部２０２は、交流回路毎に設けられた変流器２０１ｂ−２０１ｆが出力する各交流回路の検出電流２０１ｂ１−２０１ｆ１の１つを選択し、選択検出電流２０２ａとして出力する。測定対象選択部２０２は、さらに、検出電流２０１ｂ１−２０１ｆ１のうち、選択検出電流２０２ａとして出力される検出電流以外の検出電流を、順次、回路選択時間毎に、非選択検出電流２０２ｂとして出力する機能を備える。選択検出電流２０２ａは、電流計測部２０３ｂにより、電流値に変換される。非選択検出電流２０２ｂは、電流計測部２０３ｃにより、電流値に変換される。
【００６６】
即ち、多回路電力測定装置２は、複数の変流器が出力する各検出電流の１つを、順次、所定時間毎に選択して出力する測定対象選択部２０２と、選択された各検出電流を電流値に変換する電流計測部２０３ｃと、を有する。その結果、１つの電流計測部で、複数の交流回路の電流値を測定することが可能となる。
【００６７】
交流回路毎に設けられた変流器の出力（検出電流）を交流回路毎の電流値に変換する場合、各変流器毎に電流計測部を設けることが知られている（特許文献１参照）。変流器と同数の電流計測部を設けることは、電力量を計測する被計測回路の数、即ち、コストの増加を招く。それに対し、実施の形態に係る多回路電力測定装置２によれば、複数の変流器毎に設けられた変流器の出力に対し、１つの電流計測部で各交流回路の電流値を測定することが可能となる。その結果、多回路電力測定装置２の小型化、低価格化が実現される。
【００６８】
（測定精度向上）
実施の形態に係る多回路電力測定装置２において、電力値の測定対象（モニタ対象）とされた交流回路の電流値は、測定対象選択部２０２が出力する選択検出電流２０２ａに基づき、電流計測部２０３ｂにより計測される。測定対象選択部２０２は、測定対象の交流回路の電流値を、回路選択時間毎に切り替えることなく、電流計測部２０３ｂへ出力する。電力計測部２０５ｂは、電流計測部２０３ｂの出力および電圧計測部２０４の出力に基づき、測定対象とされた交流回路の電力値を計測する。この状態は、自動選択モードにおいて、測定対象の交流回路に変化が発生するまで継続される。
【００６９】
この結果、測定対象に設定された交流回路の電力値の測定精度は、測定対象となる交流回路数の増加によらず、十分に確保される。
【００７０】
一方、自動選択モードにおいて、電力計測部２０５ｃは、電流計測部２０３ｃの電流値に基づき、電力値の測定対象とされない他の交流回路の電力値を、回路選択時間毎に、順次、計測する。電力比較時間にわたり計測された他の交流回路の電力値は、各々、平均値が求められる。制御部２０６は、この各平均電力値と電力計測部２０５ｂの出力値とを比較する。
【００７１】
この結果、測定対象選択部２０２が時分割で出力する各交流回路の検出電流に基づく電力値の計測であっても、その測定精度は確保される。
【００７２】
（２つの測定モード）
実施の形態に係る多回路電力測定装置２が備える制御部２０６は、測定対象選択部２０２の動作を制御する。多回路電力測定装置２がユーザー選択モードに設定された場合、測定対象選択部２０２は、制御部２０６が出力する検出電流選択信号２０６ｓに応答して、測定対象して選択された交流回路に対応する検出電流を出力する。多回路電力測定装置２が自動選択モードに設定された場合、測定対象選択部２０２は、制御部２０６が出力する検出電流選択信号２０６ｓに応答して、測定対象として選択された交流回路に対応する検出電流を出力するとともに、他の交流回路に対応する検出電流を、時分割で出力する。
【００７３】
この結果、測定精度を確保しつつ、複数の交流回路の電力値計測を多様化することが可能となる。即ち、ユーザーは、消費電力のモニタ対象とすべき交流回路を選択することが可能であるとともに、最大の消費電力を有する交流回路を監視することも可能となる。
【００７４】
本発明の実施の形態は、以下のように総括することができる。
（請求項１）
動作モード設定信号（３０１）に応答して、検出電流選択信号（２０６ｓ）を出力する制御部（２０６）と、前記検出電流選択信号に応答して、複数の交流回路と対応する各変流器が出力する検出電流群（２０１ｂ１−２０１ｆ１）から１つの検出電流を選択し、選択検出電流（２０２ａ）として出力する測定対象選択部（２０２）と、前記複数の交流回路に供給される電圧を計測して出力する電圧計測部（２０４）と、前記選択検出電流に基づき、前記複数の交流回路のうち、前記選択検出電流と対応する選択交流回路の電流値を計測して出力する第１電流計測部（２０３ｂ）と、前記第１電流計測部および前記電圧計測部の各出力に基づき、前記選択交流回路の電力値を計測して出力する第１電力計測部（２０５ｂ）と、を備える、多回路電力測定装置。
【００７５】
（請求項１に対応した効果）
複数の変流器毎に設けられた変流器の出力（検出電流群）に対し、１つの電流計測部（第１電流計測部）で各交流回路の電流値を測定することが可能となる。その結果、多回路電力測定装置２の小型化、低価格化が実現される。さらに、実施の形態に係る多回路電力測定装置２がユーザー選択モードに設定された場合、選択された交流回路の消費電力を高精度で計測することが可能となる。
【００７６】
（請求項２）
前記測定対象選択部は、さらに、前記検出電流群のうち、前記選択検出電流以外の検出電流を、順次、第１選択時間（回路選択時間）毎に切り替えて、非選択検出電流（２０２ｂ）として出力し、前記非選択検出電流に基づき、前記複数の交流回路のうち、前記選択交流回路以外の非選択交流回路の電流値を計測して出力する第２電流計測部（２０３ｃ）と、前記第２電流計測部および前記電圧計測部の各出力に基づき、前記非選択交流回路の電力値を計測して出力する第２電力計測部（２０５ｃ）と、を備える、請求項１記載の多回路電力測定装置。
【００７７】
（請求項２に対応した効果）
実施の形態に係る多回路電力測定装置２が自動選択モードに設定された場合、非選択交流回路の消費電力を精度良く計測することが可能となる。
【００７８】
（請求項３）
前記制御部は、前記第１電力計測部および前記第２電力計測部の各出力の比較結果に基づき，前記複数の交流回路のうち、最大の電力値を有する交流回路を測定対象とする前記検出電流選択信号を出力し、前記測定対象選択部は、前記検出電流選択信号に応答して、前記検出電流群のうち、最大の電力値を有する交流回路と対応する検出電流を前記選択検出電流として出力する、請求項２記載の多回路電力測定装置。
【００７９】
（請求項３に対応した効果）
実施の形態に係る多回路電力測定装置２をユーザー選択モード／自動選択モードの２つの動作モードに設定することが可能となる。この結果、測定精度を確保しつつ、複数の交流回路の消費電力値モニターを多様化することが可能となる。
【００８０】
（請求項４）
前記第２電力計測部が出力する電力値を格納する記憶部を、さらに備え、前記制御部は、前記第１電力計測部の出力と、前記記憶部に格納されている前記電力値の平均値と、の比較結果に基づき、前記検出電流選択信号を出力する、請求項３記載の多回路電力測定装置。
【００８１】
（請求項４に対応した効果）
実施の形態に係る多回路電力測定装置２が自動選択モードに設定された場合、非選択交流回路の消費電力を、より精度良く計測することが可能となる。
【００８２】
（請求項５）
前記制御部は、前記第１選択時間を複数含む第２選択時間（電力比較時間）毎に、前記検出電流選択信号を出力する、請求項４記載の多回路電力測定装置。
【００８３】
（請求項５に対応した効果）
実施の形態に係る多回路電力測定装置２が自動選択モードに設定された場合、選択交流回路および非選択交流回路の消費電力を精度よく計測することが可能となる。
【００８４】
（請求項６）
前記動作モード設定信号に応答して、前記選択交流回路を指定するユーザー選択モードに設定される、請求項１記載の多回路電力測定装置。
【００８５】
（請求項６に対応した効果）
多回路電力測定装置は、ユーザー選択モードに設定される。これにより、ユーザーは、消費電力のモニタ対象とすべき交流回路を選択することが可能となる。
【００８６】
（請求項７）
前記動作モード設定信号に応答して、前記非選択交流回路の電力値を測定する自動選択モードに設定される、請求項２ないし請求項５いずれか１項記載の多回路電力測定装置。
【００８７】
（請求項７に対応した効果）
多回路電力測定装置は、自動選択モードに設定される。これにより、ユーザーは、最大の消費電力を有する交流回路を監視することが可能となる。
【００８８】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【００８９】
１  分電盤、２  多回路電力測定装置、３  コントローラー、１１ａ  主幹配線、１１ｂ，１１ｃ，１１ｄ，１１ｅ，１１ｆ  配線路、１１ａ１  電圧測定値、３１  表示部、３２  操作部、２０１ａ，２０１ｂ，２０１ｃ，２０１ｄ，２０１ｅ，２０１ｆ  変流器、２０１ａ１，２０１ｂ１，２０１ｃ１，２０１ｄ１，２０１ｅ１，２０１ｆ１  検出電流、２０２ａ  選択検出電流、２０２ｂ  非選択検出電流、２０６ｓ  検出電流選択信号、３０１  動作モード設定信号。
【図１】
2014142271.tif 000003
【図２】
2014142271.tif 000004
【図３】
2014142271.tif 000005
【図４】
2014142271.tif 000006
【図５】
2014142271.tif 000007
【図６】
2014142271.tif 000008
【図７】
2014142271.tif 000009